Podtech/llm-jp-corpus-v4-ja_patent huggingface dataset:
(57)【要約】【課題】運勢などを印刷したおみくじ本体を、従来の引き方・選び方ではなく、たまご形状の素焼きの容器を選ぶ楽しみ、割ったり潰したりの欲求、ストレス解消の出来るおみくじを提供する。【解決手段】底部に穴３を有するたまご形状の素焼きの容器２に上記穴３を通じておみくじ４を挿入したことを特徴とする割って取り出すおみくじ。【選択図】図１
0003133147.tif 000002
【実用新案登録請求の範囲】
【請求項１】
底部に穴（３）を有するたまご形状の素焼きの容器（２）に上記穴（３）を通じておみくじ（４）を挿入したことを特徴とする割って取り出すおみくじ（１）。
【考案の詳細な説明】
【技術分野】
【０００１】この考案は、従来にない引き方、楽しみ方の出来るおみくじに関する。
【背景技術】
【０００２】おみくじは、運勢などを印刷した紙を折りたたまれて販売されている。おみくじの引き方は従来割り箸のような棒に記号を施し筒状の容器に多数棒が入っており、その容器の縦の面一箇所に棒１本分が出る穴が開いており、振る、逆さまにするなどの行為によって１本の棒を取り出し、その棒の記号と同じ記号のおみくじを、引くやり方が広く行われている。【０００３】又、上記のおみくじの引き方とは別に縁起物、七福神、十二支などのような造形物の容器の中に、おみくじが取り出せるように入っており、造形物を選ぶ事によって、おみくじを引く、選ぶやり方もあり、その造形物を持ち帰る事が出来る。
【考案の開示】
【考案が解決しようとする課題】
【０００４】しかしながら、以上の技術によれば、造形物は持ち帰り飾る事は出来るが、たまごを選ぶ楽しみ、割ったり潰したりの欲求、ストレス解消をする事は出来なかった。【０００５】そこで、この考案は、たまごを選ぶ楽しみ、割ったり潰したりの欲求、ストレス解消の出来るおみくじを提供する事を課題とする。
【課題を解決するための手段】
【０００６】以上の課題を解決するために、本考案の割って取り出すおみくじは、底部に穴３を有するたまご形状の素焼きの容器２に上記穴３を通じておみくじ４を挿入したことを特徴とする。【０００７】おみくじを入れる容器は、肉厚の薄い割れ易い素焼きであり、割る事に抵抗感の少ない天然のたまごと大きさ、雰囲気のほとんど同じたまご形状であり、上記の容器の底部に約１ｃｍ程の穴が開いてあり、幾重にも折り畳んで小さくした紙のおみくじを、約１ｃｍ程の穴に入る大きさにさらに折り、挿入し、折ったおみくじが元に戻ろうと広がる事で穴から出なくなり、おみくじをたまご形状の容器から取り出すために、投げたり、落としたり割る行為によって、ストレスの解消となる事を特徴とするおみくじである。
【考案の効果】
【０００８】割らなければおみくじ本体を取り出せないので、たまごを選ぶ楽しみ、割ったり潰したりの欲求など、おみくじで運勢の占い時にストレス解消が出来、従来に無かったような遊びを作り出す事が出来る。
【考案を実施するための最良の形態】
【０００９】本考案の実施の形態を図１に示す。たまご形状の容器２は、素焼きであり、約１ｃｍの穴３から、幾重にも折り畳んだおみくじ４を挿入し、穴３から出なくする。そのために穴３の大きさは、約１ｃｍが好ましい。
【実施例】
【００１０】本考案の実施の一例を図１を用いて説明する。たまご形状の素焼きの容器２は、割れ易いように厚さ３ｍｍに、形状は、天然の卵と同じ大きさと形とし、色も同じような色として、底部穴３の大きさは、１ｃｍに作った。【００１１】次にこの容器２へ、紙のおみくじ４を入れる方法について図２で説明する。縦長の短冊形おみくじＡは、Ｂのように幾重にも折り畳んで、状態Ｃにし、これを更に横に折り畳みＤのようにし、穴３に入る大きさにしてこれを入れた。入れたＤ状のおみくじは、折り目が戻って穴３から出なくなった。【００１２】このように作った割って取り出すおみくじ１は、投げたり落としたりして直ぐに割れて、中からおみくじが取り出せ、運勢を楽しみ、割って遊べ、ストレス解消になった。
【図面の簡単な説明】
【００１３】
【図１】本考案の実施例を示す説明図である。
【図２】本考案に紙のおみくじを入れる例を示す説明図である。
【符号の説明】
【００１４】１割って取り出すおみくじ
２容器
３穴
４折り畳んだおみくじ
【図１】
0003133147.tif 000003
【図２】
0003133147.tif 000004
(57)【要約】      （修正有）【課題】病人の床ずれを防止する。【解決手段】ベットの床３が空気を入れる袋４，５内の空気の左右移動で上下に動く事で病人の体勢を変える事が出来る為に床ずれを防止する事が出来る。【選択図】図１
0003133145.tif 000002
【実用新案登録請求の範囲】
【請求項１】
ベットの床の下に敷いた袋に交互に空気を入れベットの床を上下左右に動かすことを目的とした床ずれ防止ベット。
【考案の詳細な説明】
【技術分野】
【０００１】本考案は病人の床ずれを防止するものです
【背景技術】
【０００２】吊りさげたベットの床の下に２分割した空気でふくらむ袋を敷き空気の移動でベットの床が上、下に動くようにした．
【考案の開示】
【考案の解決しようとする課題】
【０００３】病人の床ずれを防止する事．
【課題が解決するための手段】
【０００４】ベットの床を左右上下させる事で病人の体勢を変える事により床ずれを防止する．
【考案の効果】
【０００５】病人の苦痛をやわらげる
【考案を実施するための最良の形態】
【０００６】吊りさげたベットの床の下に２分割で平行にする為の通風管の付いた空気でふくらむ袋を敷いたもの．
【実施例】
【０００７】ベットの床を空気の移動で左右上下する事が出来、時間がたっとベットの床が平らになる．
【図面の簡単な説明】
【０００８】
【図１】床ずれベット全体図
【符号の説明】
【０００９】▲１▼  ベットの足
▲２▼  ベアリング
▲３▼  ベットの床
▲４▼  空気を入れる袋
▲５▼  空気を入れる袋
▲６▼  時間調整用通風管
▲７▼  エアポンプ
▲８▼  通風管
【図１】
0003133145.tif 000003
(57)【要約】      （修正有）【課題】作業服もしくは雨具と安全チョッキの重ね着によるわずらわしさの解消、作業性及び安全性の向上を図る。【解決手段】作業服もしくは雨具に反射帯を組み込み一体化する。【選択図】図３
0003133148.tif 000002
【実用新案登録請求の範囲】
【請求項１】
反射帯と一体化した安全作業服
【請求項２】
反射帯と一体化した安全雨具
【考案の詳細な説明】
【技術分野】
【０００１】  本考案は作業時に着用する  反射帯と一体化した安全作業服もしくは安全雨具に関する。
【背景技術】
【０００２】  従来、作業時には通常の作業服もしくは雨具と反射帯付き安全チョッキを別々に着用している。
【考案の開示】
【考案が解決しようとする課題】
【０００３】  しかし、これでは二度の着用で  わずらわしく  また安全チョッキの着用を忘れる場合があり  さらに  重ね着することにより作業性も悪く  安全性にも問題がある。
【課題を解決するための手段】
【０００４】  そこで、作業服もしくは雨具に反射帯を組み込み一体化する。
【考案の効果】
【０００５】  本考案により、着脱は一度でよく  わずらわしさがなくなり  さらに重ね着も解消され作業性、安全性が向上する。
【考案を実施するための最良の形態】
【０００６】  本考案に係る反射帯と一体化した安全作業服もしくは安全雨具は図３に示すように作業服もしくは雨具に反射帯１を組み込んでいる。
【図面の簡単な説明】
【０００７】
【図１】  従来の作業服もしくは雨具である。
【図２】  従来の安全チョッキである
【図３】  本考案に係る反射帯と一体化した安全作業服もしくは安全雨具である。
【符号の説明】
【０００８】  １    反射帯
【図１】
0003133148.tif 000003
【図２】
0003133148.tif 000004
【図３】
0003133148.tif 000005
(57)【要約】      （修正有）【課題】野球のバッティング上達を容易にするため、理想的なバッティングを直接身体で習得するものである。【解決手段】野球の理想のバッティング又は、一流野球選手のバッティング動作をソフト化し装置した産業用ロボットにバットを取り付けて、バットそのものに練習者の体格に合った、理想のバッティング又は一流野球選手のバッティング動作をさせ、それを練習度合いに応じてゆっくり動かす。そのバットをグリップしているだけで自分の理想とするバッティングを習得しようとするものである。産業用ロボットなどバットを動かす装置は、練習者とバットのスイング軌道上の邪魔にならない位置に置く。【選択図】図１
0003133143.tif 000002
【実用新案登録請求の範囲】
【請求項１】
野球の理想のバッティング又は、一流野球選手のバッティング動作をソフト化し装置した産業用ロボットなどにバットを取り付け、練習者が該バットをグリップすることにより、理想のバッティング又は、一流野球選手のバッティング動作を身につけるようにしたバッティング練習装置。
【考案の詳細な説明】
【技術分野】
【０００１】
野球の理想的なバッティングを習得する為の練習用ロボットに関するものである。
【背景技術】
【０００２】
従来、野球で自分の理想とするバッティングを習得する場合には、バッティングセンターなどにおいて上級者のアドバイス、またはレッスン教材を参考にして自己判断で練習をしていた。その自己判断が難しく、なかなか上達する事が出来なかった。
【考案の開示】
【考案が解決しようとする課題】
【０００３】
本考案は、野球の理想のバッティング又は、一流野球選手のバッティング動作を模してバットを自動でスイングさせることにより正しいバッティングを身につけるものである。
【課題を解決するための手段】
【０００４】
野球の理想のバッティング又は、一流野球選手のバッティング動作をソフト化し装置した産業用ロボットにバットを取り付けて、バットそのものに練習者の体格に合った、理想のバッティング又は一流野球選手のバッティング動作をさせ、それを練習度合いに応じてゆっくり動かす。そのバットをグリップしているだけで自分の理想とするバッティングを習得しようとするものである。産業用ロボットなどバットを動かす装置は、練習者とバットのスイング軌道上の邪魔にならない位置に置く。
【考案の効果】
【０００５】
短期間で理想とする野球のバッティングを身につける事が可能になる。
【考案を実施するための最良の形態】
【０００６】
以下更に添付図面を参照して本考案の実施の形態を説明する。
図は本考案の一例であり、図においてＡ２は産業ロボットでありこのロボットは野球の理想のバッティング又は、一流野球選手のバッティングを模したソフトを封入したパソコンＡ１に従ってスイング動作がなされるようになっていてロボットＡ２の先端にバットＡ３が取り付けられている。そこで練習者Ａ４は練習する時に上記バットＡ３をグリップすることによりロボットＡ２が作動するバットＡ３により理想のバッティング又は、一流野球選手のバッティングすることができるようになり、理想のバッティング又は、一流野球選手のバッティングを身につけることが出来る。
【図面の簡単な説明】
【０００７】
【図１】本考案の実施例を示す図面である。
【符号の説明】
【０００８】
A1  パソコン
A2  産業用ロボット
A3  バット
A4  練習者
【図１】
0003133143.tif 000003
【手続補正書】
【提出日】平成19年4月20日(2007.4.20)
【手続補正１】
【補正対象書類名】実用新案登録請求の範囲
【補正対象項目名】全文
【補正方法】変更
【補正の内容】
【実用新案登録請求の範囲】
【請求項１】
野球の理想のバッティング又は、一流野球選手のバッティング動作をソフト化し装置したロボットにバットを取り付け、練習者が該バットをグリップすることにより、理想のバッティング又は、一流野球選手のバッティング動作を身につけるようにしたバッティング練習装置。
(57)【要約】      （修正有）【課題】演奏のため両手がふさがっていても、楽譜をめくることができるシステムを提供する。【解決手段】演奏者の目前のパソコン画面に電子化された楽譜を表示させ、演奏者の足元に足用マウスを置いて演奏者の足の操作により楽譜のページめくりを行う。【選択図】図１
0003133150.tif 000002
【実用新案登録請求の範囲】
【請求項１】
パソコンの画面に表示された電子化された楽譜を足用マウスを用いてページ送りを行わせることによって、楽器で両手がふさがれている演奏者の楽譜ページめくり作業の負担を軽減するシステム。
【考案の詳細な説明】
【考案の開示】
【考案が解決しようとする課題】
【０００１】楽器演奏者は演奏のため両手がふさがっている場合が多く、複数枚にわたる紙の楽譜を見て楽器演奏を行う場合、楽譜を次ページにめくるためには楽器から一旦手を離し、演奏を中断し、ページめくりをしなければならないという問題点があった。
【課題を解決するための手段】
【０００２】演奏者の目前のパソコン画面に電子化された楽譜を表示させ、演奏者の足元に足用マウスを置いて演奏者の足の操作により楽譜のページめくりを行う。
【考案の効果】
【０００３】楽譜のページが次ページに移る際、手で紙の楽譜をめくる必要がなくなるため、演奏を中断させることなく継続でき、演奏者は演奏に集中できる。
【図面の簡単な説明】
【０００４】
【図１】  パソコン、足用マウス接続全体図
【図２】  足用マウスのペダル図
【符号の説明】
【０００５】  Ａ  パソコン
Ｂ  楽譜の画面表示
Ｃ  譜面台
Ｄ  足用マウス
Ｅ  ページ送りペダル
Ｆ  ページ戻りペダル
Ｇ  ＵＳＢ接続端子（パソコンへ接続）
【図１】
0003133150.tif 000003
【図２】
0003133150.tif 000004
(57)【要約】【課題】高温の燃焼ガスに触れる容積形流体モータのロータのシール板１０を押すバネの温度が上がらないよう冷やすそしてシール板とシール板の間から水漏れさせない。【解決手段】バネ８を設けるバネスペース１１に冷却パイプ１７，１８を通して水を通す。【選択図】図１
0003133146.tif 000002
【実用新案登録請求の範囲】
【請求項１】
膨脹した燃焼ガスで容積形流体モータが回わるので燃焼ガスに触れるシール板（１０）が高温になるためシール板（１０）を内から外側へ押し出そうとするバネ（８）も温度が上がるのでバネの温度を下げるためにバネスペースに冷却パイプ（１７），（１８）を通す事を特徴とした間接的冷却
【考案の詳細な説明】
【技術分野】
【０００１】バネの温度を冷やす事に関するものである。
【背景技術】
【０００２】自動車等のエンジンを冷やす等直接的に水で冷やす技術はあった。
【考案の開示】
【考案が解決しようとする課題】
【０００３】バネスペースに水を入れると水漏れの可能性がある。
【課題を解決するための手段】
【０００４】バネスペースに冷却パイプを通して水を通す事によりバネスペース内の空気を冷やして次にバネを冷やす。
【考案の効果】
【０００５】バネスペース内の空気の温度が下がりそしてバネの温度も下がる。直接冷却よりは効率が悪いが水漏れしない。
【考案を実施するための最良の形態】
【０００６】冷却パイプ１７，１８をバネに触れないでバネスペースに通し冷却パイプを支える為に何個所か支持部を設ける。
【実施例】
【０００７】各各のロータの回転軸の１方の芯に空洞部を設けて空洞部から冷却パイプに連通しそれから回転軸の他方の芯に設けた空洞部に連通する。
【産業上の利用分野】
【０００８】火力発電所の燃焼ガスを利用して容積形流体モータを回転させる時容積形流体モータのロータが燃焼ガスに触れるのでロータに設けるシール板をバネで押すバネの力を落さないようバネを冷やすそして水漏れさせない。
【図面の簡単な説明】
【０００９】
【図１】凸面が３面のバネスペースを含んだ全体図。
【図２】凸面が２面のバネスペースを含んだ全体図。
【符号の説明】
【００１０】ロータ枠          １，４，３０，３８
足                ２，５，７，３３
シール            ３
ひっかけ          ６，９，３１
バネ              ８，３５
シール板          １０，３４
バネスペース      １１，３２
空部              １２，３６
プレート          １３
隙間補助          １４，４２
吸入口            １５，３９
排出口            １６，３７
冷却パイプ        １７，１８，４３
ロータ基体        ４０，４１，１９，２０
【図１】
0003133146.tif 000003
【図２】
0003133146.tif 000004
(57)【要約】      （修正有）【課題】液体用タンクから溶液をポンプで汲み出す場合、溶液が少なくなった時でも最後まで汲み出し易く、転倒しにくい構造にした液体用タンクの提供。【解決手段】液体用タンク下部に傾斜を設けることにより、傾斜と同時にその下部に空洞が設けられ、液体をその片隅に集めることで容易に汲みだせることができる。かつその下部空洞に固形物若しくは液体を充填させ重心を安定化させ転倒を防止させるようにした。【選択図】図1
0003133118.tif 000002
【実用新案登録請求の範囲】
【請求項１】
液体用タンク内部に仕切り板を設けて、下部に傾斜をつくり、かつこの仕切り板の下部に空洞をつくり、この空洞に重し用の溶液又は固形物（水や砂等）を入れられるようにした。灯油タンク等の液体用タンクの構造。
【請求項２】
空洞部に重し用の溶液又は固形物を充填させるための注入口を設けた。請求1項記載の液体用タンクの構造
【考案の詳細な説明】
【技術分野】
【０００１】
本案件は、液体用タンクの少なくなった溶液を汲み出し易く、転倒を防止するために液体用タンク下部に傾斜を設け、液体をその片隅に集める。かつその下部に溶液又は固形物（水や砂等）を充填させ液体用タンクの重心を安定化して使用できるようにしたものである。
【背景技術】
【０００２】
従来は、液体が少なくなった時、ポンプで汲み出し易く、かつ重心を安定させる構造を要した液体用タンクはなかった。
【考案の開示】
【考案が解決しようとする課題】
【０００３】
液体用タンクから溶液をポンプで汲み出す場合、溶液が少なくなった時ポリタンクを傾けるなどしないと汲み出しにくく、転倒しやすい。本考案は、この課題を解消するためになされたものである。
【課題を解決するための手段】
【０００４】
液体用タンク下部に仕切り板を設けることにより、傾斜と空洞が設けられる。液体をその片隅に集めることで容易に汲み出せることができる。かつその空洞に固形物若しくは液体を充填させ重心を安定化させ転倒を防止させるようにした。
【考案の効果】
【０００５】
液体用タンク下部に傾斜を設け、その下部空間に固形物若しくは液体を充填させる事により、少なくなった溶液を転倒させる心配もすることなく、ポンプでのスムーズな汲み取りが可能になった。
【考案を実施するための最良の形態】
【０００６】
液体用タンクが少なくなった時でも、傾斜を設けその下部空洞に固形物若しくは液体を充填させる事により、少なくなった溶液を転倒させる心配もすることなく、ポンプでのスムーズな汲み取りが可能になった。
【図面の簡単な説明】
【０００７】
【図１】本案件に係る液体用タンクの正面図である。
【符号の説明】
【０００８】
1・・・液体用タンク
2・・・ポンプ
3・・・注入口
4・・・液体用タンク下部に傾斜を設ける為の仕切り板
【図１】
0003133118.tif 000003
【手続補正書】
【提出日】平成19年4月16日(2007.4.16)
【手続補正１】
【補正対象書類名】実用新案登録請求の範囲
【補正対象項目名】全文
【補正方法】変更
【補正の内容】
【実用新案登録請求の範囲】
【請求項１】
液体用タンク内部に傾斜した仕切り板を設けて、かつこの仕切り板の下部とタンク底面間は空洞部を成し、この空洞部に重し用の溶液又は固形物を入れられるようにしたことを特徴とする液体用タンク。
【請求項２】
前記空洞部に重し用の溶液又は固形物を充填させるための注入口を設けたことを特徴とする請求項1記載の液体用タンク。
(57)【要約】      （修正有）【課題】長期保存できる農業用液体カルシウム肥料の提供。【解決手段】カルシウム水溶液に主成分とする銀濃度が０．１〜３０００ｐｐｍの腐敗防止剤を配合したものをプラスチック容器に密封してなる液体カルシウム肥料。【選択図】図１
0003133114.tif 000002
【実用新案登録請求の範囲】
【請求項１】
カルシウム水溶液に銀濃度が０．０００１〜０．００５ｐｐｍの腐敗防止剤を配合した液体肥料。
【考案の詳細な説明】
【技術分野】
【０００１】
本考案は、農業用液体カルシウム肥料に関する。
【背景技術】
【０００２】
農作物の栽培にはカルシウムなどの肥料が必要とされているため、定期的に肥料を与える必要がある。
【考案の開示】
【考案が解決しようとする課題】
【０００３】
カルシウムを液体肥料として保存しようとすると、時間経過と共に腐敗が進む。
【課題を解決するための手段】
【０００４】
この課題を解決するための請求項１の考案は、銀を主成分とする腐敗防止剤をカルシウム水溶液に配合した液体カルシウム肥料。
【考案の効果】
【０００５】
本考案により液体カルシウム肥料の腐敗を防ぎ、長期保存が可能になる。
【考案を実施するための最良の形態】
【０００６】
カルシウム濃度が５〜２０％のカルシウム水溶液と銀濃度が０．０００１〜０．００５ｐｐｍの腐敗防止剤を１：１の割合で配合する。
【図面の簡単な説明】
【０００７】
【図１】本考案の正面断面図である。
【符号の説明】
【０００８】
１．容器
２．水
３．カルシウム
４．銀
【図１】
0003133114.tif 000003
【手続補正書】
【提出日】平成19年1月15日(2007.1.15)
【手続補正１】
【補正対象書類名】実用新案登録請求の範囲
【補正対象項目名】請求項１
【補正方法】変更
【補正の内容】
【請求項１】
カルシウム水溶液に銀濃度が０．１〜３０００ｐｐｍの腐敗防止剤を配合した液体肥料。
【手続補正２】
【補正対象書類名】明細書
【補正対象項目名】０００６
【補正方法】変更
【補正の内容】
【０００６】
カルシウム濃度が５〜２０％のカルシウム水溶液と銀濃度が０．１〜３０００ｐｐｍの腐敗防止剤を１：１の割合で配合する。
【手続補正書】
【提出日】平成19年4月19日(2007.4.19)
【手続補正１】
【補正対象書類名】実用新案登録請求の範囲
【補正対象項目名】全文
【補正方法】変更
【補正の内容】
【実用新案登録請求の範囲】
【請求項１】
カルシウム水溶液に銀濃度が０．１〜３０００ｐｐｍの腐敗防止剤を配合したものをプラスチック容器に密封してなる液体カルシウム肥料。
(57)【要約】      （修正有）【課題】テープ式オルゴール装置において音量を調節できる装置を提供する。【解決手段】テープ式オルゴール装置４が設置された中敷板６の他に響板８を設け、中敷板と響板に段差をつけて設置することにより、その高低差を利用してテープ式オルゴール装置４の発音体である櫛歯の振動が響板８に伝わる力を音量調節レバー９により調節し、オルゴールの音量を変化させるものである。これにより、画一的だったオルゴール演奏が、楽器等と同じように演奏表現を高めることが可能になった。【選択図】図３
0003133120.tif 000002
【実用新案登録請求の範囲】
【請求項１】
テープ式オルゴール装置において、オルゴール本体を取り付ける中敷板の他に響板を設け、中敷板と響板に段差を付け、その高低差を利用して音量調節レバーによりテープ式オルゴール装置を響板に接触・非接触させ、さらには接する圧力を変化させることによりオルゴールの音量を調節すること。
【考案の詳細な説明】
【技術分野】
【０００１】  本考案はテープ式オルゴール装置の演奏において、音量を調節するための技術に関する。
【背景技術】
【０００２】  オルゴールは製造過程においては音量の調節が可能だが、演奏中に微調整することは非常に困難である。
【考案が解決しようとする課題】
【０００３】  通常のオルゴールは、演奏中にオルゴールを操作して音量に変化をつけることを目的に製造されていないため、音量はオルゴールの製造段階でほとんど決定される。
一般的にオルゴールはゼンマイ式で、他の音楽再生装置等と同様に音楽を聴く道具として用いられる。それに対し、手廻しオルゴールでは聴くだけではなく、演奏者が存在して演奏する楽しみも含まれることから、本考案ではオルゴールを演奏者が自分の好みの音量で演奏することが可能な装置を提供することにある。
【課題を解決するための手段】
【０００４】  上記課題を解決するために本考案が講じた手段は、テープ式オルゴール装置を取り付ける中敷板の他に響板を設け、中敷板と響板に段差をつけ、その高低差を利用して音量を調節することである。響板とは非接触状態にあるテープ式オルゴール装置を、音量調節レバーにより響板に接触させ、さらには接触時の圧力を変化させることにより音量を調節する。
【実施例】
【０００５】  以下、この考案について図面を参照して説明する。本考案にて使用するテープ式オルゴール装置４は、オルゴール本体内にテープ１１を通過させながら演奏を行うものである。テープ１１を挿入口１より差し込み、手動にてハンドル２を回転させてテープを送り込むことにより演奏する。テープ１１にはメロディーが孔によって記録されており、テープの交換で演奏曲目を変えることができる。このテープ式オルゴール装置４の詳細については、特開２００３−２１６８３０号広報に開示されたものがある。【０００６】  テープ式オルゴール装置４の設置方法について説明する。テープ式オルゴール装置４はネジ５ａとネジ５ｂで、Ｌ字型の金属板の中敷板６に固定されている。円柱７ａと円柱７ｂはテープ式オルゴール装置４に固定されており、円柱７ａと円柱７ｂの底面と木の響板８の間にはわずかな隙間がある。テープ式オルゴール装置４はケース１０の底面に対して水平な状態にある。【０００７】    音量調節レバー９を上下に動かすことにより、テープ式オルゴール装置４は主に上下に微動できる状態にある。オルゴールの演奏中に音量調節レバー９を下げると、テープ式オルゴール装置４が響板８に接触し、さらに力を加えることにより圧力が増し、オルゴールの発音体である櫛歯の振動が響板８に伝わる力が増幅されて音量が大きくなる。
【考案の効果】
【０００８】  従来のオルゴール演奏においては、演奏中の音量がほとんど同じなのに対し、本考案の装置を使用することで演奏者が演奏中に好みの音量に調節することが可能である。これにより、通常平坦なオルゴールの音色に音楽的な変化をつけ、より豊かで独創的な演奏を楽しむことができる。
【産業上の利用可能性】
【０００９】  速度の調節のみで演奏していたテープ式オルゴール装置が、音量を変化させることによりさらに高度な演奏を可能にし、楽器類と遜色なく楽しむことができる。
また、本考案で使用する音量調節レバーの操作は簡易であり、小さい力で大きな効果を得ることができるため、幅広い対象者に利用されうるものである。
【図面の簡単な説明】
【００１０】
【図１】  斜面図
【図２】  平面図
【図３】  側面図
【符号の説明】
【００１１】  １    テープ挿入口
２    ハンドル
３    テープ排出口
４    テープ式オルゴール装置
５ａ  ネジ
５ｂ  ネジ
６    中敷板（金属板）
７ａ  円柱
７ｂ  円柱
８    響板（木板）
９    音量調節レバー
１０  ケース
１１  テープ
【図１】
0003133120.tif 000003
【図２】
0003133120.tif 000004
【図３】
0003133120.tif 000005
【手続補正書】
【提出日】平成19年3月29日(2007.3.29)
【手続補正１】
【補正対象書類名】明細書
【補正対象項目名】請求項１
【補正方法】変更
【補正の内容】
【請求項１】      テープ式オルゴール装置において、オルゴール本体を取り付ける中敷板の他に響板を設け、中敷板と響板に段差を付け、その高低差を利用して音量調節レバーによりテープ式オルゴール装置を響板に接触・非接触させ、さらには接する圧力を変化させることによりオルゴールの音量を調節する装置。
(57)【要約】【課題】        従来の新聞収納はキャビネットに組み込まれた形式のものが少なく読み終えた新聞、雑誌等の整理、収納、回収に問題点があった。本考案はキャビネットの中に新聞収納機能を組み込むことにより、簡単に、きれいに収納でき、回収時安易に取り出しのできる新聞収納装置を提供することを課題とするものである。【解決手段】    本考案は（１）キャビネットの左右の側板、中仕切り板等の垂直板の間、或いは、底板、中天板等の水平板上に（２）レールにより前後スライド可能な板を水平に設置し、（３）その前に新聞投入用の上部空間のある扉、或いは前板を設置することにより、安易に、整然と新聞、雑誌を収納でき、回収時はスライド板を引き出す事により簡単に取り出し可能とする新聞収納機能を提供することにより課題を解決しようとするものである。【選択図】      図１
0003133677.tif 000002
【実用新案登録請求の範囲】
【請求項１】
（１）キャビネットの側板、中仕切り板等の垂直板と垂直板の間に（２）レールにより前後にスライド可能な新聞載置のための板を水平に取り付け、（３）そのスライド板の前に上部より新聞を投入できる空間が設けられている扉、或いは前板を設置したことを特徴とする新聞収納装置。
【請求項２】
（１）キャビネットの中天板、底板等の水平板上に（２）レールにより前後にスライド可能な新聞載置のための板を水平に取り付け、（３）そのスライド板の前に上部より新聞を投入できる空間が設けられている扉、或いは前板を設置したことを特徴とする新聞収納装置。
【考案の詳細な説明】
【技術分野】
【０００１】
本考案はキャビネットに組み込む新聞収納装置である。
【背景技術】
【０００２】
従来のラック、収納庫等のキャビネット、或いは、ボックスに新聞収納機能を備えたものは皆無に近い状態で一部のマガジンラック，電話台に独立したキャスター付きの新聞収納箱が付属したものが見られるのみである。
【考案の開示】
【考案が解決しようとする課題】
【０００３】
従来、読み終えた新聞は、積み上げるか、別途、新聞収納ケースを設置する等、整然とした収納に問題点があった。
【課題を解決するための手段】
【０００４】
本考案は、従来の問題点を解決するための手段として（１）キャビネットの側板、中仕切り板等の垂直板と垂直板の間、或いは、底板、中天板等の水平板上に（２）レールにより前後可動の新聞載置用の板を水平に取り付け、（３）その前に上部より新聞、雑誌の投入可能な空間を有する扉、或いは前板が設置された新聞収納装置を提供するものである。
【考案の効果】
【０００５】
上述のように、本考案の新聞収納装置は扉、或いは前板の上部に設けられた空間より読み終え不要となった新聞、雑誌を投入し、まとめて取り出す際は扉を開けスライド板上に積み上げられた新聞、雑誌をスライド板ごと引き出すか、或いは前板の取り付けられたスライド板を引き出すことにより簡単にまとめて取り出すことが可能であり、扉、前板が設置されていることにより載置された新聞、雑誌が外部より見えず整然とした収納が出来る効果がある。
【考案を実施するための最良の形態】
【０００６】
以下、図１〜５を参照して本考案の実施の形態に係る構造を説明する。                                                
【実施例】
【０００７】
以下、添付図面に従って実施の形態に係る構造を説明する。図１は請求項１に該当する（１）垂直板である左右の側板１の間に（２）レール４により前後スライド可能な新聞５載置のためのスライド板３を水平に設置した新聞収納装置の前扉２を開けた形態を説明した斜視図である。
【０００８】
図2は上記新聞収納装置のスライド板の前に設置された扉２を閉じた形態を説明した斜視図である。読み終えた新聞や雑誌５は扉上部に設けられた空間６より矢印１２方向に投入される。尚、扉２の開閉方式、開閉方向、扉枚数は図示に限定するものではなく、扉の開閉にスライド板が連動する、或いは、スライド板に前扉が取り付けられた引き出し形状の場合も請求項に含まれる。
【０００９】
図３は載置された新聞５を回収、取り出しのために扉２を開け、請求項２に該当する（１）水平な底板１１の上、或いは、上段に設置する場合は中天板１５の上に取り付けられた（２）レール４により前後可動のスライド板３を矢印１３方向に引き出した形態を説明した斜視図である。本図で説明されるように載置された新聞５は安易にまとめて取り出し、回収することが可能である。尚、スライド板を引き出しやすくするため掘り込み引き手１４、ハンドル等が付く事もある。新聞、雑誌ホルダー７は組合せ応用例である。
【００１０】
図４はキャビネットの側板１と中仕切り板９の間に新聞収納機能を組み込み、扉を閉じた形態の参考例の斜視図である。読み終えた新聞や雑誌は扉２の上部の空間６より投入される。図４の如く当新聞収納装置は新聞、雑誌ホルダー７、ガラスキャビネット８、収納庫１０、マガジンラック、電話台等への組み込み応用が多種可能である。
【００１１】
図５はスツールにスライドレール４により前後可動のスライド板３を組み込み、上部に新聞収納可能な空間が設けられた前板１７を取り付けた形態の新聞収納装置を引き出した斜視図である。前板補強のため補強材１６、或いは側板１８がつく場合もある。その他ローボード、ＴＶ台等ロータイプのキャビネット等への組み込み応用が多種可能である。
【図面の簡単な説明】
【００１２】
【図１】本考案のスライド板の設置形態を示す斜視図である。
【図２】本考案の上部に投入口のある前扉を閉めた形態を示す斜視図である。
【図３】本考案の前扉を開けスライド板を引き出した形態を示す斜視図である。
【図４】本考案の機能を組み込んだキャビネットの実施例を示す斜視図である。
【図５】本考案の機能を組み込んだロータイプキャビネットの実施例を示す斜視図である。
【符号の説明】
【００１３】
１  側板
２  前扉、或いは前板
３  スライド板
４  レール
５  新聞、雑誌
６  投入口
７  デイスプレイ棚
８  ガラス扉  
９  中仕切り
１０  収納庫扉
１１  底板
１２  投入方向矢印
１３  引き出し方向矢印
１４  引き手
１５  中天板
１６  補強材
１７  前板
１８  側板
【図１】
0003133677.tif 000003
【図２】
0003133677.tif 000004
【図３】
0003133677.tif 000005
【図４】
0003133677.tif 000006
【図５】
0003133677.tif 000007
(57)【要約】【課題】鉢植植物の根と鉢土を活性化させるペグを提供する【解決手段】中空になったペグの本体胴部と先端部に多数の穴をあけ、その開口部にはキャップを取り付け、これを植木鉢の土中に差込み、硬くなった土に空気を供給し、根と空気とを触れさせ鉢植植物の根と土を活性化させるペグ。【選択図】図１
0003133679.tif 000002
【実用新案登録請求の範囲】
【請求項１】
中空本体胴部の周囲に多数の空気流通用穴が設けられた、植木鉢の土中に差し込まれる鉢植植物活性化ペグ。
【請求項２】
本体の下方に胴部の穴よりも小さな溝が多数設けられている請求項１に記載の鉢植植物活性化ペグ。
【請求項３】
溝が縦型の溝である請求項２に記載の鉢植植物活性化ペグ。
【請求項４】
本体頭部にキャップを有する請求項１〜３のいずれか１項に記載の鉢植植物活性化ペグ。
【考案の詳細な説明】
【技術分野】
【０００１】
本考案は、鉢植植物の根と鉢土を活性化させるペグに関する。
【０００２】
従来、鉢植えされた植物は長時間放置されがちで、その鉢土が固くなってしまい、根は新しい空気が得られず、窒息状態からやがて枯死へと繋がっていく。
【考案の開示】
【考案が解決しようとする課題】
【０００３】
そのために次のような問題点があった。
（イ）根の発達が阻害され、植物の健全な成長が止まり、本来の美しい姿を失ってしまい、ついには枯死につながっている鉢植植物の例を多く見受ける。
（ロ）現在、多くの人々が園芸に親しんでいるが、一方で土を耕すという習性が少ない。言い換えれば、花は好きだが土いじりはきらいという人が多く、硬くなった土を耕さず鉢と共に捨ててしまっている。そのため、いたずらに廃棄物が多くなってしまい、資源の無駄使いにもなっている。
【０００４】
本考案は、鉢植えされた植物の根と鉢土に十分な空気を供給し、以上の問題点を解決するためになされたものである。
【課題を解決するための手段】
【０００５】
本考案の鉢植植物活性化ペグは、その中空本体胴部の周囲に多数の空気流通用穴が設けられている。これを本体頭部が外に出るようにして植木鉢の土中に差し込み、本体中空部と空気流通用穴を介して固まった土と根に大気中の空気を供給する。これにより、植物は窒息状態から開放されて活性化し、土も柔らかくなってその長期利用も図ることができる。
【０００６】
本考案のペグ本体の下方に胴部の穴よりも小さな溝、たとえば縦型の溝を多数設けてもよい。土中からペグ本体に浸み込んだ水を植木鉢底穴へ導く排出口とすることができる。
【０００７】
キャップをペグ本体頭部の開口部に被せれば、散水時の水や雨などがペグ内部に溜まるのを防ぐことができる。
【０００８】
本考案ペグの材質は、植木鉢の土中に差し込めるものであれば特に限定されない。プラスチック、金属、木材、厚紙などから作ることができる。ペグの断面形状も特に限定されることなく、円柱状、角状などであってもよい。頭部反対側の先端部は、土中に差し込みやすくするため、尖塔状とすることもできる。また、大きさは、植木鉢の大きさに合わせて大、中、小のものを用意することができる。
【考案の効果】
【０００９】
本考案により、鉢土中に空間が作られ、土中に空気が取り込まれ、植物の根と空気との接触面が広がる。したがって、弱った根が活性化し、植物が元気になって美しい葉や花が再生される。また、土が軟らかくなるので捨てる必要もなく、資源を長く利用できる。
【考案を実施するための最良の形態】
【００１０】
以下、図面を参照しながら、本考案の実施の形態について説明する。
【００１１】
プラスチック製の中空の円筒を適当な長さに切断し、一方の先端を円錐状に加工したペグ本体（１）を作る。ペグ本体（１）の胴部に、頭部の開口部（５）からやや下方より多数の横穴（２）をあける。胴部下方の先端部（６）周辺に横穴（２）より小さい、たとえば二分の一程度の縦穴のような溝を多数あける。なお、先端部の頂部（７）には穴を開けない。プラスチック製の差し込みキャップ（４）を頭部開口部に被せる。
【００１２】
本考案は以上のような構成でなっており、これを使用するときは、鉢植植物からやや離してペグ本体（１）の横穴（２）が隠れるまで差し込む。土中に差し込まれたペグ本体（１）の内部は中空なので、本考案のペグは土中へ空気を供給するいわばエアコンの役目を果たす。新しい空気を供給された植物の根は再度活性化される。差し込みキャップ（４）は、散水時や降雨時に水がペグ本体（１）の中空内部に入るのを防ぎ、同時に害虫の侵入をも防ぐ。
【００１３】
また、先端部（６）には縦型の溝（３）が多数あり、土中から浸み込んだ水を植木鉢底穴へ導く排出口となる。なお、差し込むペグの本数は、植物の衰退ぐあいにより複数本を使用し、植物が元気を取り戻したら、引き抜いてもよく、再度使用可能である。
【図面の簡単な説明】
【００１４】
【図１】本考案の斜視図
【図２】本考案の分解斜視図
【図３】本考案の断面図
【図４】本考案の使用状況を示す斜視図
【符号の説明】
【００１５】
１  ペグ本体
２  横穴
３  縦型の溝
４  差し込みキャップ
５  開口部
６  先端部
７  頂部
【図１】
0003133679.tif 000003
【図２】
0003133679.tif 000004
【図３】
0003133679.tif 000005
【図４】
0003133679.tif 000006
(57)【要約】【課題】  現在用いられている除塵用フィルターは上昇角度７５度程度急傾斜構造で動力を介し爪で掻き揚げる構造であるので、流入する塵いわゆる、長い棒、缶類、布類など爪にかからない塵を十分に事前に取り除くことが出来ない、塵を自動的に除去し水門、ポンプ場を塵でつまらすことなく、清水だけ流入させることにより水門、ポンプ場の機能を無人で保全する。  【解決手段】  スクリーンの形状を樋状とし、その樋は先絞りとする、そしてスクリーンを徐々に上昇する5〜４０度に据え樋を上向きに湾曲させることにより樋の上に水膜が形成され、流水水圧を利用し、塵を浮かし目詰りを無くす。合わせてバイパス水路による上昇流も加え、塵受けへと送ることが出来る、水圧で塵を塵受けまで押し流し、そうすることにより、スクリーンは常に清水を通過しやすく保つことが出来る。【選択図】図１
0003133689.tif 000002
【実用新案登録請求の範囲】
【請求項１】
流入口と水槽と塵受と流出口とからなる除塵装置において該水槽が水槽底面から徐々に上昇角度が５〜４０度で上昇する構造の除塵フィルターを有することを特徴とする除塵装置。
【請求項２】
前記除塵フィルターは断面を流下方向に絞った、複数の樋構造であり該樋は流れ方向に複数並べ流水水圧によりゴミを浮かし押し流す構造であることを特徴とする請求項１記載の除塵装置。
【請求項３】
前記樋は上向きカーブ構造でゴミが浮き、押し流されやすい構造であることを特徴とする請求項１または請求項２記載の除塵装置。
【請求項４】
前記除塵フィルターの下部に水の跳ね上げ板および噴き上げ水流バイパス水路を有する構造であることを特徴とする請求項１または請求項２または請求項３記載の除塵装置。
【考案の詳細な説明】
【技術分野】
【０００１】
本考案は徐々に上昇する構造の樋状スクリーンを設けた、流水中の塵などを分離回収する除塵装置に関するものである。
【背景技術】
【０００２】
水門、排水処理場、又、一般水路などに、現在用いられている除塵用フィルターは上昇角度７５度程度急傾斜構造である。
【０００３】
そのため、流入するゴミ例えば丸太、自転車、ビニール、缶、ビン、などいろいろなものが降雨時河川から一気に流入する場合は十分に事前に取り除くことができない。
【０００４】
しかしてポンプなどに詰まり、大きな災害に繋がるので前段でそのゴミを取り除く除塵機というものが設置されているが、機械式つめで塵を掻き揚げるだけなので、十分に取り除くことはできない。
【考案の開示】
【考案が解決しようとする課題】
【０００５】
現在用いられている除塵用フィルターは上昇角度７５度程度急傾斜構造で動力を介し爪で掻き揚げる構造であるので、流入する塵いわゆる、長い棒、缶類、布類など爪にかからない塵を十分に事前に取り除くことが出来ない、塵を自動的に除去し水門、ポンプ場を塵でつまらすことなく、清水だけ流入させることにより水門、ポンプ場の機能を無人で保全する。
【課題を解決するための手段】
【０００６】
スクリーンが75度程度の直立に近くたっていれば塵を掻き揚げることが出来ない場合が多い、スクリーンの形状を樋状とし、その樋は先絞りとする、そしてスクリーンを徐々に上昇する5〜４０度に据え樋を上向きに湾曲させることにより樋の上に水膜が形成され、流水水圧を利用し、塵を浮かし目詰りを無くす。合わせてバイパス水路による上昇流も加え、塵受けへと送る工夫をした  水圧で塵を塵受けまで押し流しそうすることにより、スクリーンは常に清水を通過し易く保つことが出来る。
【０００７】
また、スクリーンだけでなく水路自体の構造により水流変化をおこし、土砂の分離もで
きる構造とした。
【考案の効果】
【０００８】
スクリーンが除々に上昇する構造のため、塵が詰まらなくなり、余分な塵の掃除作業が不要となり、動力も節約できる。
【０００９】
排水処理能力の確保
【考案を実施するための最良の形態】
【００１０】
水路幅３ｍ深さ２ｍとして、水槽はなお1ｍ掘り下げ、長さは流れ方向に４ｍ、その下部に深さ２ｍ流れ方向に２ｍのピットに、流れ反対側に入り口断面を出口断面の２倍のバイパス水路を設け、出口は垂直に樋の先端部に吹き上げる構造とする。
【００１１】
樋は流入側φ１００ｍｍ、流出側７５ｍｍ程度の上向き湾曲半径3ｍ流れ方向に4ｍなるものを３０度の角度で据付ける。
【００１２】
樋の下いわゆる裏側に跳ね上げ板をセットし、樋の先端には流れ方向に２ｍの網式の塵受けを取り付ける。
【図面の簡単な説明】
【００１３】
【図１】本考案の除塵装置全体の側面よりの説明図
【図２】水路に沈降ピット、スクリーン、塵受けをセットした平面図
【図３】スクリーン及び沈降ピット、塵受けの正面図
【符号の説明】
【００１４】
１  本考案の湾曲した、先絞りのスクリーン
２  沈降ピット
３  吹き上げ水用圧入口
４  塵受け
５  浮遊ゴミ
６  吹き上げよう隙間
７  上流側
８  下流側
９  バイパスベルヌーイ水路
１０  水槽
１１  河床
１２  搬送ジェット水流
１３  沈降塵
１４  水面
１５  主水流（塵を押し流す）
１６  洗浄水流（スクリーンに引っかかりそうな塵を浮き上がらせる）
【図１】
0003133689.tif 000003
【図２】
0003133689.tif 000004
【図３】
0003133689.tif 000005
(57)【要約】【課題】花粉症、アレルギー性鼻炎などの鼻腔、痔疾などの肛門内、生理、炎症などの膣内を清潔に保つ、水（温水）洗浄することが有効である。しかし、水（温水）洗浄では衣類の濡れ、汚損等、家庭では難しい。さらに、洗浄箇所によっては、排水設備のある個室が必要である。【解決手段】本考案は、「体内挿入型シャワーヘッド」である。家庭にある「浴室、洗面、台所等用シャワー」のヘッドと交換するため、ジョイント部（３）は既製「ネジ込み型」と同サイズとした。注出口（１）を中心軸よりずらしたことで、洗浄部位を移動させやすい。これにより、家庭で手軽に鼻腔、肛門内、膣内を洗浄でき、疾病予防を容易にさせることができる。【選択図】図２
0003133611.tif 000002
【実用新案登録請求の範囲】
【請求項１】
家庭にある「浴室、洗面、台所等用シャワー」のヘッドを交換し、鼻腔、肛門内、膣内挿入し洗浄するシャワーヘッド。
【考案の詳細な説明】
【技術分野】
【０００１】本考案は、家庭にある「浴室、洗面、台所等用シャワー」のヘッドを交換し、体内挿入し洗浄するシャワーヘッドに関するものである。
【背景技術】
【０００２】花粉症、アレルギー性鼻炎などの鼻腔、痔疾などの肛門内、生理、炎症などの膣内を清潔に保つ為、洗浄が有効であるが、水（温水）洗浄でおこる衣類の濡れ、汚損等、家庭では難しかった。
【考案の開示】
【考案が解決しようとする課題】
【０００３】花粉症、アレルギー性鼻炎などの鼻腔、痔疾などの肛門内、生理、炎症などの膣内を清潔に保つには、水（温水）洗浄することが有効である。しかし、水（温水）洗浄では衣類の濡れ、汚損等、家庭では難しい。さらに、洗浄箇所によっては、排水設備のある個室が必要である。
【課題を解決するための手段】
【０００４】水（温水）洗浄では衣類の濡れ、汚損等、家庭では難しかった。それを既存の「浴室、洗面、台所等用シャワー」のヘッドを交換することで、排水設備のある個室での作業となり、多様な用途を可能とした。さらに、季節、洗浄箇所等に合わせて、水の温度調節も可能になる。
【考案の効果】
【０００５】上述のように、医療施設での治療ではなくなる。家庭での簡易洗浄で、金銭、時間の制約もなく予防効果も期待できる。さらに、排水設備のある個室での使用になるので、衣類の濡れ、汚損等もなく、排水の問題もなくなる。
【考案を実施するための最良の形態】
【０００６】既存の「浴室、洗面、台所等用シャワー」のヘッドを交換する為、ジョイント部は、既製の「ネジ込み型」。
体内挿入を目的とする為、本体は、細く、彎曲させ、先端は球体とした。
材質は、金属、樹脂等。
【図面の簡単な説明】
【０００７】
【図１】本考案のシャワーヘッドの一実施例を示す側面図である。
【図２】本考案のシャワーヘッドの一実施例を示す使用想定図である。
【図３】本考案のシャワーヘッドの断面図（先端部）である。
【符号の説明】
【０００８】１  注出口
２  本体
３  ジョイント部
【図１】
0003133611.tif 000003
【図２】
0003133611.tif 000004
【図３】
0003133611.tif 000005
(57)【要約】【課題】畑から一輪車等で運んで来た収穫物を入れた容器を、人力によらずにトラックの荷台に乗せる事。【解決の手段】トラックの運転席１の背後に支柱２を回動するよう取り付け、支柱２の上部に支幹５を上下するよう軸支する。支幹５と支柱２の間にアクチュエータ７又はジャッキを軸支させ、支幹５の先端の支点１０に持ち上げ具１２を軸支し、持ち上げ具１２の鉤１１を容器１３に掛支させ、作動スイッチ１４にてアクチュエータ７又はジャッキを操作し支幹５を持ち上げ支柱２を回し、容器１３をトラックの荷台１５に乗せるようにした、容器を車の荷台乗せる器具です。【選択図】図１
0003133612.tif 000002
【実用新案登録請求の範囲】
【請求項１】
トラックの運転席１の背後に支柱２を回動するよう取り付け、支柱２の上端の支点６に支幹５を軸支し、支柱２の支点８と支幹５の支点９との間にアクチュエータ７又はジャッキを軸支し、支幹５の先の支点１０に鉤１１を設けた持ち上げ具１２を取り付け、鉤１１を容器１３に掛支し、作動スイッチ１４を操作する事でアクチュエータ７又はジャッキが作動し支幹５が上がり、容器１３がせりあがり支柱２を回しトラックの荷台に積む事を特長とする、容器を車の荷台に乗せる器具。
【請求項２】
トラックの運転席１の背後に支柱１８を回動するよう取り付け、支柱１８の上端より少し下の支点２０に支幹１９を軸支させ、支柱１８の上端の支点２１と支幹１９の支点２２との間に引っ張りスプリング２３を取り付け、支柱１８の支点２４と支幹１９の支点２２との間に圧縮スプリング２５を取り付け、鉤１１を設けた持ち上げ具１２を支幹１９の先端の支点１０に軸支させ、持ち上げ具１２を引下げ鉤１１を容器１３に掛支し、容器１３を手で持ち上げると各スプリングの作用により少しの力で容器１３を車の荷台に乗せる事が出来るようにした請求項１記載の、容器を車の荷台に乗せる器具。
【考案の詳細な説明】
【技術分野】
【０００１】本考案は、畑で収穫した物を容器に詰めたままトラックの荷台に乗せる器具です。
【背景技術】
【０００２】従来畑で収穫したものを容器に詰め、一輪車等にて道路まで運びトラックの荷台に乗せるのであるが、容器が重く数量が多いため腰を傷める事が多く簡単な器具で車の荷台に乗せる物が欲しいとの要望が多々あった。
【考案の開示】
【考案が解決しようとする課題】
【０００３】
【０００４】畑にて収穫したものを容器に詰め一輪車にて道路まで運び出し、トラックに乗せるのであるが数量が多いため車の荷台まで上げるのが大変であった。
【課題を解決するための手段】
【０００５】畑で収穫し一輪車にて道路に運び出した容器を、アクチュエータ又はジャッキ及びスプリングにて上下する支幹によりトラックの荷台に持ち上げるようにした器具をトラックに取り付ける。
【考案の効果】
【０００６】トラックに運び上げるのに、道路まで運び出した収穫物の入った容器を手で持ち上げていたが、重く又数が多いため腰を傷める等大変であったが、この器具のアクチュエータ又はジャッキ及びスプリングの操作で積み込む事が出来るため腰を傷める事がない。
【考案を実施するための最良の形態】
【０００７】軽トラック等の運転席の背後に支柱を取り付け、支柱の上部に支幹を軸支させ、支柱にアクチュエータ又はジャッキの一方を軸支させ他の一方を支幹に軸支させる。支幹の先端に鉤を取り付けた持ち上げ具を取り付け、鉤を容器に掛支しアクチュエータ又はジャッキを操作し容器を車の荷台に乗せ順次容器を所定の位置に並べる。
【実施例】
【０００８】運転席１の背後に支柱２を留め金３と支柱受け４にて回動するよう取り付け、支柱２の上部に支幹５を支点６に軸支させる。支柱２と支幹５との間に支幹を持ち上げるアクチュエータ７又はジャッキを支点８と支点９にて軸支させ、支幹５の先端に支点１０を設け、鉤１１を取り付けた持ち上げ具１２を支点１０に取り付ける。
鉤１１を容器１３に掛支させ、持ち上げ具１２に磁石等で取り付けた作動スイッチ１４でアクチュエータ７又はジャッキを操作すると、アクチュエータ７又はジャッキの支点９が伸びて支幹５が持ち上がり容器１３を押すと支柱２が回り、容器１３がトラックの荷台の床面１５に上がり作動スイッチ１４を押して容器１３を下げ所定の所え移動し並べる。各図の実線は路面の容器１３に鉤１１を掛けた時の図で、破線は容器１３をトラックの荷台の床面１５に持ち上げた時の図である。
請求項２では運転席１の背後に支柱１８を留め金３と支柱受け４にて回動するよう取り付け、支柱１８に支幹１９を支点２０に軸支させる。支柱１８の上部の支点２１と支幹１９の支点２２との間に引っ張りスプリング２３を取り付け、支柱１８の下部の支点２４と支幹１９の支点２２との間に圧縮スプリング２５を取り付ける。
支点２１と支幹１９の支点２２との間に引っ張りスプリング２３を取り付ける事と、支幹１９を支柱１８の支点２１に軸支させ支点２４と支幹１９の支点２２との間に、圧縮スプリング２５を取り付ける事とを区別して、単独に各作用させる事も出来る。
支幹１９はスプリング２３及び２５により常に上がっているが、持ち上げ具１２を手で引き下ろし鉤１１を容器１３に掛支し、容器１３を手で持ち上げるとスプリング２３及び２５の作用で少しの力で容器１３を荷台の床面に持ち上がる。
【産業上の利用可能性】
【０００９】畑の収穫物を入れた容器を一輪車で道路まで運びトラックに積み込む時、数量が多く重いため腰を傷めてしまう事があるが、この考案の器具にて容易に積み込む事が出来る。
【図面の簡単な説明】
【００１０】
【図１】  トラックの後ろからの図で破線は容器を持ち上げた図
【図２】  トラックの側面からの図で破線は容器を持ち上げた図
【図３】  請求項２のトラックの後ろからの図で破線は容器を持ち上げた図
【図４】  請求項２のトラックの側面からの図で破線は容器を持ち上げた図
【符号の説明】
【００１１】１      運転席
２      支柱
３      留め金
４      支柱受け
５      支幹
６      支点
７      アクチュエータ
８      支点
９      支点
１０    支点
１１    鉤
１２    持ち上げ具
１３    容器
１４    作動スイッチ
１５    荷台の床面
１６    作動コード
１７    バッテリーコード
１８    支柱
１９    支幹
２０    支点
２１    支点
２２    支点
２３    引っ張りスプリング
２４    支点
２５    圧縮スプリング
【図１】
0003133612.tif 000003
【図２】
0003133612.tif 000004
【図３】
0003133612.tif 000005
【図４】
0003133612.tif 000006